(57)【要約】【課題】外障子をサッシ枠内の上部に固定した構成の上げ下げ窓であって、火災時であっても、外障子の落下を防止することができる上げ下げ窓を提供する。【解決手段】上げ下げ窓１００は、サッシ枠１の竪枠１３（１４）と内障子３と外障子２と、を備える。サッシ枠１の竪枠１３（１４）は、外障子２の案内溝２Ｕと、案内溝２Ｕ内に設けた補強板５５と、外障子２に設けられたロッド棒５１を受けるストッパー５４と、を有する。補強板５５は、案内溝２Ｕ（１４Ｕ，１３Ｕ）の溝壁に沿う部分を有し、外障子２に対向する範囲の長手方向に設けてあり、サッシ枠１の竪枠１３（１４）に固着してあり、ストッパー５４は補強板５５と竪枠１３（１４）に対して固定部材９１０により固着して設けてある。【選択図】図５
2014218833.tif 000002
【特許請求の範囲】
【請求項１】
竪枠と内障子と外障子とを備え、
竪枠は、外障子の案内溝と、案内溝内に設けた補強板と、外障子のロッド棒を受けるストッパーとを有し、
補強板は、案内溝の溝壁に沿う部分を有し、外障子に対向する範囲の長手方向に設けてあり、竪枠に固着してあり、ストッパーは、補強板と竪枠に対して固定部材により固着して設けてある
ことを特徴とする上げ下げ窓。
【発明の詳細な説明】
【技術分野】
【０００１】
本発明は、上げ下げ窓に関する。
【背景技術】
【０００２】
枠体の内部に内障子と外障子とを備え、少なくとも内障子または外障子を上げ下げ自在に納めてなる上げ下げ窓（建具）が知られている（例えば、特許文献１、特許文献２参照）。
また、シングルハングで、且つ、外障子にロッド棒が設けられており、竪枠に設けられたロッド棒受け部材に係合することで、外障子を枠の上部に固定（嵌め殺し）した構成の上げ下げ窓が知られている。
【先行技術文献】
【特許文献】
【０００３】
【特許文献１】特許第４３８８９０４号公報
【特許文献２】特開２００７−２５４９６３号公報
【発明の概要】
【発明が解決しようとする課題】
【０００４】
しかしながら、火災時、竪枠が熱により溶融し、ロッド棒受け部材（ストッパー）が落下した場合、外障子はストッパーによる支持がなくなり落下する虞がある。
【０００５】
本発明は、上述した問題に鑑みてなされたもので、外障子をサッシ枠内の上部に固定した構成の上げ下げ窓であって、火災時であっても、外障子の落下を防止可能な上げ下げ窓を提供すること、などを目的をとする。
【課題を解決するための手段】
【０００６】
本発明の上げ下げ窓は、竪枠と内障子と外障子とを備え、竪枠は、外障子の案内溝と、案内溝内に設けた補強板と、外障子のロッド棒を受けるストッパーとを有し、補強板は、案内溝の溝壁に沿う部分を有し、外障子に対向する範囲の長手方向に設けてあり、竪枠に固着してあり、ストッパーは、補強板と竪枠に対して固定部材により固着して設けてあることを特徴とする。
【発明の効果】
【０００７】
本発明によれば、外障子をサッシ枠内の上部に固定した構成の上げ下げ窓であって、火災時であっても、外障子の落下を防止可能な上げ下げ窓を提供することができる。
【図面の簡単な説明】
【０００８】
【図１】本発明の実施形態に係る上げ下げ窓の室内側全体正面図。
【図２】図１に示した上げ下げ窓のＡ−Ａ線に沿った縦断面図。
【図３】図２に示した上げ下げ窓のＣ−Ｃ線に沿った横断面模式図。
【図４】上げ下げ窓のストッパー付近の拡大横断面図。
【図５】図４に示した上げ下げ窓のＤ−Ｄ線に沿った断面模式図。
【図６】本発明の実施形態に係る上げ下げ窓のストッパーの一例を示す図、（ａ）は上面図、（ｂ）は側面図、（ｃ）は正面図、（ｄ）はロッド棒やストッパーなどの取り付け状態図、（ｅ）は上げ下げ窓の横断面図。
【図７】本発明の実施形態に係る上げ下げ窓の補強板の一例を説明するための図、（ａ）は補強板の上面図、（ｂ）は補強板の側面図、（ｃ）はサッシ枠の竪枠に設けられた外障子案内溝の一例を示す図。
【発明を実施するための形態】
【０００９】
本発明の実施形態に係る上げ下げ窓を防火用上げ下げ窓に適用した一例を、図面を参照しながら説明する。
図１は、本発明の実施形態に係る上げ下げ窓１００の室内側全体正面図である。図２は、図１に示した上げ下げ窓１００のＡ−Ａ線に沿った縦断面図である。図３は図２に示した上げ下げ窓１００のＣ−Ｃ線に沿った横断面模式図である。
【００１０】
本発明の実施形態に係る上げ下げ窓１００は、躯体開口部に取付けたサッシ枠１内に収容された外障子２（上障子）と内障子３（下障子）とを有する。外障子２がサッシ枠１内の室外側上方に配置され、内障子３がサッシ枠１内の室内側下方に配置されている。
本実施形態では、外障子２がサッシ枠１内の上部に固定され、内障子３がサッシ枠１内の下部に嵌め込まれ、内障子３が上下移動自在に配置されている。内障子３を上げた場合、内障子３の下方に形成される開口部を通じて採風を行えるように、上げ下げ窓１００が構成されている。外障子２と内障子３は、引違い状に配置されている。本実施形態では、上げ下げ窓１００は、シングルハングである。
【００１１】
本発明の実施形態の上げ下げ窓１００として、アルミニウム合金などの金属材と、その金属材の室内側に配設した樹脂材を備える複合サッシを採用し、断熱性および意匠性を向上させている。尚、上げ下げ窓１００は、複合サッシに限られるものではない。
【００１２】
＜サッシ枠１＞
サッシ枠１は、上枠１１と、下枠１２と、左右の竪枠１３，１４とを有し、それらが四方枠組みして構成されている。上枠１１、下枠１２、竪枠１３，１４の内周部には、外障子２や内障子３に嵌合する凹部が形成されている。
【００１３】
＜外障子２＞
図１、図２、図３に示したように、外障子２は、上障子として機能し、上框２１、下框２２、竪框２３，２４を四周枠組みして構成されている。外障子２は、各框により区画された区画内にガラスパネル２５（パネル）を装着して構成されている。
＜内障子３＞
内障子３は、下障子として機能し、上框３１、下框３２、竪框３３，３４を四周枠組みして構成されている。内障子３は、各框により区画された区画内にガラスパネル３５（パネル）を装着して構成されている。
【００１４】
上記外障子２及び内障子３のパネル２５，３５は、例えば、その四方端部がシール部材６（グレージングチャンネル）を介して外障子２および内障子３の各框に嵌合している。本実施形態では、パネル２５，３５として、２枚の板ガラスの間にスペーサーを挟持した複層ガラスパネルを例示しており、そのガラスの隙間に乾燥空気や不活性ガスなどが封入されている。尚、パネル２５，３５はこの形態に限定されるものではなく、単板ガラスであってもよい。
【００１５】
本実施形態では、サッシ枠１の上枠１１、下枠１２、竪枠１３、竪枠１４は、金属枠と、その金属枠の室内側に配設した樹脂材と、などで構成されている。
また、内障子３及び外障子２は、アルミニウム合金などの押出形材の金属框と、その金属框の室内側面等に設けられた樹脂框となどで構成されていてもよい。
【００１６】
詳細には、図１，図２，図３に示したように、上枠１１は、金属上枠１１１と、その金属上枠１１１の室内側に配設した樹脂上枠１１２と、などで構成されている。
下枠１２は、金属下枠１２１と、その金属下枠１２１の室内側に配設した樹脂下枠１２２と、などで構成されている。
竪枠１３（１４）は、金属竪枠１３１（１４１）と、その金属竪枠１３１（１４１）の室内側に配設した樹脂竪枠１３２（１４２）と、などで構成されている。
【００１７】
また、外障子２の上框２１は、金属上框２１１と、その金属上框２１１の室内側に配設した樹脂上框２１２と、などで構成されている。
外障子２の竪框２３（２４）は、金属竪框２３１（２４１）と、金属竪框２３１（２４１）の室内側に配設した樹脂上框２３２（２４２）と、などで構成されている。
【００１８】
内障子３の上框３１は、金属上框３１１と、その金属上框３１１の室内側に配設した樹脂上框３１２と、などで構成されている。
内障子３の下框３２は、金属下框３２１と、その金属下框３２１の室内側に配設した樹脂下框３２２と、などで構成されている。
内障子３の竪框３３（３４）は、金属竪框３３１（３４１）の室内側に配設した樹脂竪框３３２（３４２）と、などで構成されている。
【００１９】
＜バランサ５＞
サッシ枠１の竪枠１３，１４の上部、または、上枠１１の左右両端部付近に、渦巻バネ式バランサ装置などのバランサ５が設けられている。バランサ５から繰り出された吊りワイヤ５ｗに、可動障子としての内障子３（下障子）が吊設されている。本実施形態では、可動障子である内障子３（下障子）は、内障子３の下端部付近に設けられた係止部材５ｓにワイヤ５ｗが係止されることで吊設されている。内障子３（下障子）の重力と、バランサ５による上方向への付勢力とが力学的に平衡関係となるように構成され、可動障子である内障子３を小さな力で簡単に上下方向に移動させて開閉可能であり、且つ、内障子３を任意の高さ位置に停止できるように構成されている。
【００２０】
＜把持部３７（把手）＞
本実施形態では、内障子３（下障子）の下框の中央部付近に、把持部３７（把手）が設けられている。操作者が把持部３７を上下方向に操作することで、内障子３を簡単に開閉自在となるように構成されている。
【００２１】
＜施錠金具７（クレセント）＞
図１、図２、図３に示したように、外障子２（上障子）の下框２２（召し合せ框）と、内障子３（下障子）の上框３１（召し合せ框）は、施錠金具７（クレセント）により施錠可能に構成されている。詳細には、内障子３（下障子）の上框３１（召し合せ框）の略上端中央部にクレセント本体金具７１が設けられている。クレセント本体金具７１とクレセント受け金具７２とが係合することで、内障子３を閉鎖位置に固定することができる。
【００２２】
＜外障子固定手段５０＞
以下、本発明の実施形態に係る上げ下げ窓１００における、外障子２をサッシ枠１に固定する外障子固定手段５０を説明する。尚、サッシ枠１の竪枠１４側に設けられた外障子固定手段５０を説明するが、サッシ枠１の竪枠１３側に設けられた外障子固定手段５０については、竪枠１４側に設けられた外障子固定手段５０と同様な構成であるので、説明を省略する。
【００２３】
図４は上げ下げ窓１００のストッパー５４（支持部材）付近の拡大横断面図である。図５は図４に示した上げ下げ窓１００のＤ−Ｄ線に沿った断面模式図である。
図６は上げ下げ窓１００のストッパー５４の一例を示す図である。詳細には、図６（ａ）はストッパー５４の上面図、図６（ｂ）は側面図、図６（ｃ）は正面図、（ｄ）はロッド棒５１やストッパー５４などの取り付け状態図、（ｅ）は横断面図である。
図７は上げ下げ窓１００の補強板５５の一例を説明するための図である。詳細には、図７（ａ）は補強板５５の上面図、図７（ｂ）は補強板５５の側面図、図７（ｃ）はサッシ枠１の竪枠１４（１３）に設けられた外障子案内溝１４Ｕ（１３Ｕ）の一例を示す図である。
【００２４】
外障子固定手段５０は、本実施形態では、サッシ枠１の竪枠１４（１３）と、外障子２に設けられたロッド棒５１を受けるストッパー５４（支持部材）と、補強材である補強板５５と、などを有する。外障子２の竪框２４（２３）の下部のサッシ側端部付近、および、外障子２の下框２２などには、ロッド棒５１が設けられている。
【００２５】
＜ロッド棒５１＞
ロッド棒５１は、図４、図５、図６に示したように、金属材料により棒形状に形成されており、且つ、短手方向断面がＵ字形状に形成されている。ロッド棒５１は、ネジなどの固定部材９２１により、外障子２の下框２２の下部に固定され、外障子２の竪框２４（２３）の下部に、ロッド棒取付金具５２により固定されている。
ロッド棒取付金具５２は、図４、図５に示したように、板形状に形成されており、ロッド棒５１の下部に設けられている。ロッド棒取付金具５２は、固定部材９２２，９２３により、外障子２の竪框２４（２３）の下部に固定されている。
【００２６】
＜ストッパー５４（支持部材）＞
ストッパー５４は、図６に示したように、金属板材を屈曲加工などにより、略断面Ｕ字形状に形成されている。詳細には、ストッパー５４は、下板部５４ａと、下板部５４ａの端部から上方に向けて屈曲して立ち上がる形状の立設部５４ｂと、立設部５４ｂの上端部に連結する上板部５４ｃと、などを有し、それらが一体形成されている。
【００２７】
立設部５４ｂは、略中央部に開口部５４ｄが形成されており、開口部５４ｄの下端からストッパー内側に延びる突出部５４ｅが設けられている。この突出部５４ｅの上部にロッド棒５１が載置される。
また、立設部５４ｂには、開口部５４ｄ付近に、ネジなどの固定部材９１０が係合する係合孔５４ｈが設けられている。
本実施形態では、ストッパー５４の内側に、熱膨張耐火材９が設けられている。
【００２８】
熱膨張耐火材９としては、例えば積水化学工業株式会社製の商品名「フィブロック（登録商標）」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。この熱膨張耐火材９は、火災時に消失することがなく、有害ガスが発生することもない。またフィブロックは、片面に剥離紙付きの接着層を有し、剥離紙を剥がして簡便に接着取付けすることができる。
【００２９】
＜補強板５５＞
補強板５５は、竪枠１４（１３）に設けられた、外障子２を嵌め込む外障子案内溝１４Ｕ（１３Ｕ）内に設けられている。詳細には、補強板５５は、ステンレスなどの金属材料により形成され、図７（ａ）、図７（ｂ）に示したように、細長板形状に形成され、且つ、断面Ｌ字形状に形成されている。
具体的には、補強板５５は、外障子２を嵌め込む案内溝１４Ｕ（１３Ｕ）の溝壁に沿う板部分５５ａを有する。その板部分５５ａが外障子２に対向する範囲の長手方向に設けてあり、竪枠１４（１３）にネジ止めなどの固着手段などにより固着された構造となっている。
【００３０】
詳細には、補強板５５は、下部付近、上部付近、室内側端部付近に、取付孔５５ｈが設けられている。補強板５５は、下部付近に設けられた取付孔５５ｈを介して、固定部材９１０（９１１，９１２など）により、竪枠１４（１３）に固定される。
補強板５５は、上部付近に設けられた取付孔５５ｈを介して、固定部材９１０により、竪枠１４（１３）に固定される。
補強板５５は、室内側端部付近に設けられた取付孔５５ｈを介して、ネジ止めなどの固着手段により、竪枠１４（１３）に固定される。尚、補強板５５は竪枠１４（１３）に、溶接により固定されていてもよい。
【００３１】
また、補強板５５は、上記板部分５５ａの室外側端部からサッシ内側（中心側）に屈曲した形状の室外側板部分５５ｂを有し、この室外側板部分５５ｂにより、更に補強強度を向上させている。
また、補強板５５は、竪枠１４（１３）に密着して配置した構造となっており、補強板５５と竪枠１４（１３）との間の熱伝導が良好であり、放熱性を向上させている。
【００３２】
また、補強板５５の内側（外障子２側）に、熱膨張耐火材９が設けられている。
【００３３】
＜固定構造＞
次に、補強板５５、ストッパー５４、サッシ枠１の竪枠１４（１３）の固定構造の一例を説明する。
【００３４】
図４，図５，図６，図７などに示したように、上げ下げ窓１００は、補強板５５とストッパー５４とを竪枠１４（１３）に対して、ネジなどの固定部材９１０などにより共締めにより固着した構造となっている。
【００３５】
詳細には、竪枠１４は、断面略４角形状の竪枠１４の金属竪枠１４１の室内側に、樹脂竪枠１４２が配置されている。外障子案内溝１４Ｕは、金属竪枠１４１から外障子２側に延びる突条部１４ａと、突条部１４ｂとにより構成されている。この突条部１４ｂは、金属竪枠１４１と樹脂竪枠１４２とにより構成されている。
【００３６】
断面略４角形状の金属竪枠１４１の外障子２側の側壁部１４１ｄには、固定部材９１０が嵌合する取付孔１４１ｈが設けられている。
ストッパー５４は断面略４角形状の金属竪枠１４１内に収容されている。詳細には、ストッパー５４の立設部５４ｂが側壁部１４１ｄに当接するように配置されている。
【００３７】
本実施形態では、固定部材９１０が、補強板５５の取付孔５５ｈ、金属竪枠１４１の外障子２側の側壁部１４１ｄに設けられた取付孔１４１ｈ、ストッパー５４の立設部５４ｂに設けられた係合孔５４ｈに貫通し且つ係合することにより、補強板５５とストッパー５４と竪枠１４（１３）とが、固定部材９１０などにより共締めにより固着した構造となっている。
【００３８】
次に、上記本発明の実施形態に係る上げ下げ窓１００の一例を説明する。
火災時など、上げ下げ窓１００は、アルミニウム合金などにより形成されるサッシ枠１の金属竪枠１４１が変形、完全に溶融するまで、ステンレスなどの不燃性材料で形成された補強板５５に固定されたストッパー５４により、確実に外障子２に設けられたロッド棒５１を支持する。このため、火災時であっても、外障子２をサッシ枠１内の上部に長時間に亘り、確実に固定した状態を維持することができる。
【００３９】
以上、説明したように、本発明の実施形態に係る上げ下げ窓１００は、サッシ枠１の竪枠１４（１３）と内障子３と外障子２と、を備える。サッシ枠１の竪枠１４（１３）は、外障子２の案内溝と、案内溝内に設けた補強板５５と、外障子２に設けられたロッド棒５１を受けるストッパー５４と、を有する。
この補強板５５は、案内溝２Ｕ（１４Ｕ，１３Ｕ）の溝壁に沿う部分を有し、外障子２に対向する範囲の長手方向に設けてあり、サッシ枠１の竪枠１４（１３）にネジ止めなどの固着手段により固着してあり、ストッパー５４は補強板５５と竪枠１３（１４）に対して固定部材９１０により固着して設けてある。詳細には、補強板５５は、不燃性材料、例えば、ステンレスなどの金属材料で形成され、サッシ枠１の竪枠１４（１３）に固着手段により竪枠１４（１３）（アルミニウム合金などの金属竪枠１４１など）に固着手段により固定されている。
このため、火災時、竪枠１４が完全に溶融するまで、不燃性材料により形成された補強板５５に設けられたストッパー５４により、確実に外障子２に設けられたロッド棒５１を支持することができる。すなわち、火災時であっても、外障子２をサッシ枠１内の上部に確実に固定可能な上げ下げ窓１００を提供することができる。
【００４０】
また、補強板５５は、サッシ枠１の竪枠１４（１３）に密着して配置した構造となっており、補強板５５と竪枠１４（１３）との間の熱伝導が良好であり、放熱性を向上させているので、火災時にサッシ枠１の熱を良好に放熱することができる。
【００４１】
また、補強板５５は細長板形状に形成され、且つ、断面Ｌ字形状に形成されており、詳細には、板部分５５ａの室外側端部からサッシ内側（中心側）に屈曲した形状の室外側板部分５５ｂを有するので、室外側板部分５５ｂにより、更に補強強度や放熱性を向上させている。
詳細には、補強板５５を設けた効果としては、以下のことを挙げることができる。
（１）補強板５５は、竪枠の突条部１４ａの内側面に沿って設けられた室外側板部分５５ｂを有し、この室外側板部分５５ｂにより、竪枠の突条部１４ａを補強することができる。このため、突条部１４ａと突条部１４ｂとで構成される外障子案内溝１４Ｕを補強することができ、火災時に竪枠が熱のびした場合であっても、補強板５５の室外側板部分５５ｂにより補強された外障子案内溝１４Ｕにより、外障子２と竪枠との間の隙間が生じることを低減することができる。
（２）例えば屋外の火災時に、枠体１の竪枠の外障子案内溝１４Ｕの室外側の突条部１４ａが溶融した場合であっても、残った補強板５５の室外側板部分５５ｂと突条部１４ｂにより、外障子２の竪框を保持することができる。
（３）この補強板５５に熱膨張耐火材９を設けたことにより、火災時、熱膨張耐火材９が膨張するので、外障子の竪框と竪枠との間を埋めることで、外障子の竪框と竪枠との間に隙間が生じることを防止することができる。
【００４２】
尚、本発明の実施形態に係る上げ下げ窓１００は、上述した実施形態に限定されない。
例えば、可動障子は、１枚又は３枚以上の可動障子により構成されていてもよい。
【００４３】
また、框及び枠の断面形状は、適宜変更することができる。
また、外障子２、内障子３に設けられるパネル（ガラス）は３枚以上とすることもできる。
また、本発明に係る上げ下げ窓は、建物の窓に限らず、電車等の乗り物の窓等に用いることもできる。
【００４４】
以上、本発明の実施形態について説明したが、本発明の実施形態の一部または全部は、以下の付記のように記載される。
［付記１］
竪枠と内障子と外障子とを備え、
竪枠は、外障子の案内溝と、案内溝内に設けた補強板と、外障子のロッド棒を受けるストッパーとを有し、
補強板は、案内溝の溝壁に沿う部分を有し、外障子に対向する範囲の長手方向に設けてあり、竪枠に固着してあり、ストッパーは、補強板と竪枠に対して固定部材により固着して設けてある
ことを特徴とする上げ下げ窓。
［付記２］
補強板、金属竪枠の外障子側の側壁部、ストッパーそれぞれに設けられた孔部を介して、補強板とストッパーと竪枠とが、固定部材で共締めにより固着した構造となっていることを特徴とする付記１に記載の上げ下げ窓。
［付記３］
外障子は、外障子の下部に設けられたロッド棒と、ロッド棒を外障子に固定するロッド棒取付金具と、を有することを特徴とする付記１または付記２に記載の上げ下げ窓。
【００４５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００４６】
１  サッシ枠
２  外障子（上障子）
２Ｕ  案内溝
３  内障子（下障子）
５  バランサ
５ｓ  係止部材
５ｗ  ワイヤ
６  シール部材（グレージングチャンネル）
７  施錠金具（クレセント）
９  熱膨張耐火材
１１  上枠
１２  下枠
１３  竪枠
１３Ｕ  外障子案内溝
１４  竪枠
１４Ｕ  外障子案内溝
２１  上框
２２  下框
２３  竪框
２４  竪框
２５  パネル（ガラスパネル）
３１  上框
３２  下框
３３  竪框
３４  竪框
３５  パネル（ガラスパネル）
３７  把持部（把手）
５１  ロッド棒
５２  ロッド棒取付金具
５４  ストッパー（支持部材）
５５  補強板（補強材）
１００  上げ下げ窓（防火用上げ下げ窓）
【図１】
2014218833.tif 000003
【図２】
2014218833.tif 000004
【図３】
2014218833.tif 000005
【図４】
2014218833.tif 000006
【図５】
2014218833.tif 000007
【図６】
2014218833.tif 000008
【図７】
2014218833.tif 000009